(57)【要約】【課題】ハーネス導出部がより細くなっても、箱本体とカバー部材とを容易に組み付けることができる電気接続箱を提供する。【解決手段】電気接続箱１は箱本体２とロアカバー３を備えている。箱本体２はワイヤハーネス７の端末が取り付けられる本体部８と該ワイヤハーネス７を収容するハーネス導出部９を備えている。ロアカバー３は本体部８に取り付けられるカバー本体１５とハーネス導出部９に取り付けられる導出カバー１６を備えている。カバー本体１５と導出カバー１６とは互いに別体である。導出カバー１６は第２ワイヤハーネス２５を収容するハーネス収容部２１を備えている。【選択図】図１
2006166620.tif 000002
【特許請求の範囲】
【請求項１】
ワイヤハーネスの端末が取り付けられる箱本体と、
前記箱本体に取り付けられるとともに、該箱本体に取り付けられるとワイヤハーネスの端末を覆うカバー部材と、を備えた電気接続箱において、
前記箱本体は、
前記ワイヤハーネスの端末が取り付けられる本体部と、
前記本体部から該本体部の外方向に延び、かつ前記ワイヤハーネスを収容するハーネス導出部と、を備え、
前記カバー部材は、
前記本体部に取り付けられるカバー本体と、
前記カバー本体と別体でかつ前記ハーネス導出部に取り付けられる導出カバーと、
を備えたことを特徴とする電気接続箱。
【請求項２】
前記ハーネス導出部は、扁平に形成されていることを特徴とする請求項１記載の電気接続箱。
【請求項３】
前記導出カバーは、前記ワイヤハーネスと別体の第２ワイヤハーネスを通すハーネス通し部を備えたことを特徴とする請求項１又は請求項２記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１に示された電気接続箱は、外郭を形成する箱本体と、配線盤と、箱本体に取り付けられるカバー部材としてのロアカバーなどを備えている。箱本体には、ヒューズやリレーなどの電気部品が装着される。また、箱本体には、ワイヤハーネスのコネクタなどが嵌合する。
【０００６】
配線盤は、箱本体内に収容されており、前述したヒューズやリレーなどの電気部品と、ワイヤハーネスのコネクタの端子とを予め定められたパターンにしたがって、互いに電気的に接続する。ロアカバーは、箱本体に取り付けられると、前述したワイヤハーネスのコネクタなどを覆う。
【０００７】
また、前述した箱本体又はロアカバーには、前述したワイヤハーネスを外部に逃がすハーネス導出部が設けられている。前述したハーネス導出部は、断面円形の孔又は環状に形成され、内側に前述したワイヤハーネスを通すことで、該ワイヤハーネスを電気接続箱外に導くようになっている。
【特許文献１】実開平６−４８１４８号公報
【発明の開示】
【発明が解決しようとする課題】
【０００８】
前述した電気接続箱が取り付けられる自動車には、より多種多様な機器が搭載されるようになっている。このため、前述した電気接続箱もより小型であることが望まれ、例えば、前述したハーネス導出部の断面形状を扁平にするなど、前述したハーネス導出部をより細くすることが考えられる。この場合、ハーネス導出部がより細くなるので、前述した従来の構造の電気接続箱では、箱本体にワイヤハーネスのコネクタを嵌合させた後、ロアカバーを箱本体に取り付ける際に、前述したワイヤハーネスをハーネス導出部内に通すことが困難となる。このように、前述した従来の構造の電気接続箱では、より小型化を図るためにハーネス導出部をより細くすると、ロアカバーなどのカバー部材を箱本体に取り付けにくくなり、組み立てにくくなることが考えられる。
【０００９】
したがって、本発明の目的は、ハーネス導出部がより細くなっても、箱本体とカバー部材とを容易に組み付けることができる電気接続箱を提供することにある。
【課題を解決するための手段】
【００１０】
前記課題を解決し目的を達成するために、請求項１に記載の本発明の電気接続箱は、ワイヤハーネスの端末が取り付けられる箱本体と、前記箱本体に取り付けられるとともに、該箱本体に取り付けられるとワイヤハーネスの端末を覆うカバー部材と、を備えた電気接続箱において、前記箱本体は、前記ワイヤハーネスの端末が取り付けられる本体部と、前記本体部から該本体部の外方向に延び、かつ前記ワイヤハーネスを収容するハーネス導出部と、を備え、前記カバー部材は、前記本体部に取り付けられるカバー本体と、前記カバー本体と別体でかつ前記ハーネス導出部に取り付けられる導出カバーと、を備えたことを特徴としている。
【００１１】
請求項２に記載の本発明の電気接続箱は、請求項１記載の電気接続箱において、前記ハーネス導出部は、扁平に形成されていることを特徴としている。
【００１２】
請求項３に記載の本発明の電気接続箱は、請求項１又は請求項２記載の電気接続箱において、前記導出カバーは、前記ワイヤハーネスと別体の第２ワイヤハーネスを通すハーネス通し部を備えたことを特徴としている。
【００１３】
請求項１に記載した本発明の電気接続箱によれば、カバー部材が、箱本体に取り付けられるカバー本体と、ハーネス導出部に取り付けられる導出カバーとに分割されている。このため、本体部にカバー本体を取り付けて、ハーネス導出部にワイヤハーネスを収容した後、導出カバーを取り付けることができる。
【００１４】
請求項２に記載した本発明の電気接続箱によれば、ハーネス導出部が扁平であるので、該ハーネス導出部の小型化を図ることができる。
【００１５】
請求項３に記載した本発明の電気接続箱によれば、カバー部材の導出カバーに第２ワイヤハーネスを通すハーネス通し部を設けているので、箱本体に端末が取り付けられるワイヤハーネスと、第２ワイヤハーネスとを区分けして、取り付けることができる。
【発明の効果】
【００１６】
以上説明したように請求項１に記載の本発明は、カバー部材のカバー本体と導出カバーとを順に箱本体に取り付けるため、ハーネス導出部にワイヤハーネスを確実に収容した後に、導出カバーを取り付けることができる。このため、ハーネス導出部が細くなっても、カバー部材と箱本体とを互いに組み付ける際に、ワイヤハーネスに邪魔されることがない。したがって、ハーネス導出部が細くなっても、ワイヤハーネスに邪魔されることなく、カバー部材と箱本体とを互いに容易に組み付けることができる。
【００１７】
請求項２に記載の本発明は、ハーネス導出部が扁平であるので、該ハーネス導出部即ち電気接続箱の小型化を図ることができる。
【００１８】
請求項３に記載の本発明は、箱本体に端末が取り付けられるワイヤハーネスと、第２ワイヤハーネスとを区分けして、取り付けることができる。このため、ハーネス導出部が細くなっても、カバー部材と箱本体とを互いに組み付ける際に、ワイヤハーネスにくわえ第２ワイヤハーネスに邪魔されることがない。したがって、ハーネス導出部が細くなっても、ワイヤハーネスに邪魔されることなく、カバー部材と箱本体とを互いに容易に組み付けることができる。
【発明を実施するための最良の形態】
【００１９】
以下、本発明の一実施形態にかかる電気接続箱を、図１及び図２に基づいて説明する。
【００２０】
本実施形態にかかる図１に示す電気接続箱１は、移動体としての自動車に搭載される。電気接続箱１は、図１及び図２に示すように、箱本体２と、図示しない配線盤と、カバー部材としてのロアカバー３と、を備えている。
【００２１】
箱本体２は、絶縁性の合成樹脂からなり、周知の射出成形により成形される。箱本体２は、複数の外壁４により、筒状（箱状）に形成された本体部８と、この本体部８に連なったハーネス導出部９とを一体に備えている。
【００２２】
本体部８の図１及び図２中に下方に位置する上面（表面に相当する）には、リレー５及びヒュージブルリンク６などの電気部品が装着される装着部が複数設けられている。本体部８の図１及び図２の上方に位置する下面８ａには、前述した自動車に配索されるワイヤハーネス７（図２中などに一点鎖線で示す）のコネクタが嵌合する。また、本体部８は、配線盤を収容する。
【００２３】
ワイヤハーネス７は、複数の電線と、該電線の端末などに取り付けられたコネクタとを備えている。コネクタは、前述した自動車に搭載される各種の電子機器や、前述した箱本体２の本体部８に嵌合する。このため、箱本体２の本体部８の下面８ａには、ワイヤハーネス７の端末が取り付けられる。
【００２４】
さらに、本体部８の外壁４には、後述のカバー本体１５用の係止部１０と、後述の導出カバー１６用の係止部１１とが設けられている。
【００２５】
ハーネス導出部９は、樋状に形成されているとともに、長手方向の一端が前述した本体部８の隅部に連なっている。また、ハーネス導出部９は、本体部８の内側に開口している。ハーネス導出部９は、前述した本体部８から該本体部８の外方向に延びている。
【００２６】
また、ハーネス導出部９は、底板１２とこの底板１２の両縁から立設した一対の側板１３とを備えて、その断面形状が図１及び図２中の横幅より縦に長いコ字形に形成されている。底板１２は、箱本体２の本体部８のロアカバー３より離れた縁に設けられている。側板１３は、底板１２から離れるにしたがって、徐々にロアカバー３に近づくように配されている。
【００２７】
ハーネス導出部９は、図１及び図２中の横幅より縦の幅が、ハーネス導出部９内にワイヤハーネス７を挿入しにくくする程大きくなっている。このように、一方向の幅と該一方向に対し直交する他の方向の幅との差が、ハーネス導出部９内にワイヤハーネス７を挿入しにくくする程大きなことを、ハーネス導出部９が扁平に形成されていると記す。こうして、ハーネス導出部９は、ワイヤハーネス７が挿入しにくくなる程扁平に形成されている。このように、本明細書に記した扁平とは、ワイヤハーネス７が挿入しにくくなる程ハーネス導出部９が扁平であることを示している。
【００２８】
ハーネス導出部９は、ワイヤハーネス７を収容して、該ワイヤハーネス７を本体部８外に導く。ハーネス導出部９は、ワイヤハーネス７、後述するハーネス収容部２１及び第２ワイヤハーネス２５とともに外周にテープが巻かれて、これらと固定される。また、ハーネス導出部９は、側板１３それぞれから立設した位置決め片１４を備えている。位置決め片１４は、側板１３から互いに平行に延びている。位置決め片１４は、互いの間に導出カバー１６を位置付けて、該導出カバー１６を位置決めする。
【００２９】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３０】
配線盤は、箱本体２の本体部８内に収容される。配線盤は、箱本体２の本体部８内に収容されると、バスバがワイヤハーネス７のコネクタと、装着部に装着されたリレー５及びヒュージブルリンク６などの電気部品とを予め定められたパターンにしたがって、互いに電気的に接続する。このように、リレー５及びヒュージブルリンク６などの電気部品は、配線盤を介してワイヤハーネス７の端末と接続する。
【００３１】
ロアカバー３は、互いに別体のカバー本体１５と、導出カバー１６とを備えている。カバー本体１５は、絶縁性の合成樹脂などからなり、周知の射出成形により成形される。カバー本体１５は、互いに連なる複数の外壁１７を有し、かつ隅部に切欠き１８が形成された扁平な有底筒状に形成されている。切欠き１８は、箱本体２とロアカバー３とが互いに重なる方向に沿って、ハーネス導出部９の基部と並設する。切欠き１８は、前述した隅部に位置する互いに連なる外壁１７に形成されている。
【００３２】
また、カバー本体１５の外壁１７には、前述した箱本体２の本体部８の係止部１０に係止する係止部１９が設けられている。係止部１０，１９が互いに係止すると、外壁４，１７が略面一になる。カバー本体３は、係止部１９が箱本体２の本体部８の係止部１０に係止して、箱本体２の本体部８の前述した下面８ａ即ちワイヤハーネス７の端末を覆うように、箱本体２の本体部８に取り付けられる。
【００３３】
箱本体２の本体部８とロアカバー３のカバー本体１５とが互いに組み付けられる際には、これらの箱本体２の本体部８とロアカバー３のカバー本体１５とは前述した上面及び下面８ａに対し直交する矢印Ｋに沿って、互いに近づけられる。なお、矢印Ｋは、箱本体２の本体部８とロアカバー３のカバー本体１５とが互いに近づく方向をなしている。
【００３４】
導出カバー１６は、箱状の取付部２０と、ハーネス通し部としての樋状のハーネス収容部２１とを備えている。取付部２０は、前述した係止部１１に係止する係止部２２を備えている。取付部２０は、係止部２２が箱本体２の本体部８に設けられた係止部１１に係止して、カバー本体１５に設けられた切欠き１８を箱本体２の本体部８とともに覆うように、これらカバー本体１５と本体部８に取り付けられる。
【００３５】
ハーネス収容部２１は、一端が取付部２０に連なり、該取付部２０が本体部８に取り付けられると、該本体部８の外方向に延びている。ハーネス収容部２１は、底板２３と、この底板２３の両縁から立設した一対の側板２４とを備えた断面コ字状（樋状）に形成されている。ハーネス収容部２１の平面形状は、前述したハーネス導出部９の平面形状と略等しい。
【００３６】
ハーネス収容部２１は、取付部２０が箱本体２の本体部８に取り付けられると、一方の側板２４が一対の位置決め片１４間に侵入して、該一方の側板２４でハーネス導出部９の一対の側板１３間を塞ぐ。即ち、ハーネス収容部２１は、取付部２０が箱本体２の本体部８に取り付けられると、一方の側板２４が一対の位置決め片１４間に位置決めされて、ハーネス導出部９を塞ぐ。さらに、ハーネス収容部２１は、カバー本体１５即ち箱本体２の本体部８内には、開口していない。こうして、ハーネス収容部２１即ちと導出カバー１６は、ハーネス導出部９に取り付けられる。
【００３７】
前述したハーネス収容部２１は、前述したワイヤハーネス７と別体の第２ワイヤハーネス２５（図１中に二点鎖線で示す）を収容する。また、ハーネス収容部２１は、ワイヤハーネス７、ハーネス導出部９及び第２ワイヤハーネス２５とともに外周にテープが巻かれて、これらと固定される。前記第２ワイヤハーネス２５は、前述した自動車などに配索されるとともに、電気接続箱１の配線盤のバスバやリレー５、ヒュージブルリンク６などの電気部品と電気的に接続することなく、前述したハーネス収容部２１に取り付けられる。このように、第２ワイヤハーネス２５は、電気接続箱１を所謂スルーする。
【００３８】
前述した電気接続箱１は、以下のように組み立てられる。まず、箱本体２の本体部８内に配線盤を収容し、箱本体２の本体部８の上面に設けられた装着部にヒュージブルリンク６やリレー５などの電気部品を装着する。そして、電気接続箱１は、箱本体２の本体部８の下面８ａにワイヤハーネス７のコネクタを嵌合して、該ワイヤハーネス７の端末を本体部８の下面８ａに取り付ける。
【００３９】
ワイヤハーネス７をハーネス導出部９内に挿入するとともに、箱本体２の本体部８にカバー本体１５を取り付ける。そして、導出カバー１６を箱本体２の本体部８とハーネス導出部９に取り付ける。さらに、ハーネス収容部２１に第２ワイヤハーネス２５を収容する。ハーネス導出部９、ハーネス収容部２１及びワイヤハーネス７，２５の外周にテープを巻き、これらを互いに固定する。
【００４０】
こうして、前述した電気接続箱１は、組み立てられて、自動車に搭載される。そして、電気接続箱１は、自動車の電子機器と、ヒュージブルリンク６やリレー５などの電気部品などとを、予め定められたパターンにしたがって、互いに電気的に接続する。
【００４１】
本実施形態によれば、ロアカバー３が、箱本体２の本体部８に取り付けられるカバー本体１５と、箱本体２のハーネス導出部９に取り付けられる導出カバー１６とに分割されている。このため、本体部８にカバー本体１５を取り付けて、ハーネス導出部９にワイヤハーネス７を収容した後、導出カバー１６をハーネス導出部９に取り付けることができる。
【００４２】
このように、ロアカバー３のカバー本体１５と導出カバー１６とを順に箱本体２に取り付けるため、ハーネス導出部９にワイヤハーネス７を確実に収容した後に、導出カバー１６を箱本体２に取り付けることができる。このため、ハーネス導出部９が細くなっても、ロアカバー３と箱本体２とを互いに組み付ける際に、ワイヤハーネス７に邪魔されることがない。したがって、ハーネス導出部９が細くなっても、ワイヤハーネス７に邪魔されることなく、ロアカバー３と箱本体２とを互いに容易に組み付けることができる。
【００４３】
ハーネス導出部９が扁平であるので、ハーネス導出部９即ち電気接続箱１の小型化を図ることができる。
【００４４】
ロアカバー３の導出カバー１６に第２ワイヤハーネス２５を通すハーネス収容部２１を設けているので、箱本体２の本体部８に端末が取り付けられるワイヤハーネス７と、第２ワイヤハーネス２５とを区分けして、取り付けることができる。このため、ハーネス導出部９が細くなっても、ロアカバー３と箱本体２とを互いに組み付ける際に、ワイヤハーネス７にくわえ第２ワイヤハーネス２５に邪魔されることがない。したがって、ハーネス導出部９が細くなっても、ワイヤハーネス７，２５に邪魔されることなく、ロアカバー３と箱本体２とを互いに容易に組み付けることができる。
【００４５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４６】
【図１】本発明の一実施形態に係る電気接続箱の斜視図である。
【図２】図１に示された電気接続箱の分解斜視図である。
【符号の説明】
【００４７】
１  電気接続箱
２  箱本体
３  ロアカバー（カバー部材）
５  リレー（電気部品）
６  ヒュージブルリンク（電気部品）
７  ワイヤハーネス
８  本体部
８ａ  下面
９  ハーネス導出部
１５  カバー本体
１６  導出カバー
２１  ハーネス収容部（ハーネス通し部）
２５  第２ワイヤハーネス
【図１】
2006166620.tif 000003
【図２】
2006166620.tif 000004